(57)【要約】【課題】肌にそって滑らかに移動させることが可能な電気かみそりの外刃及び電気かみそりを提供する。【解決手段】多数の髭導入孔が穿孔された金属薄板が湾曲形状に形成された湾曲部３４の内面に内刃が摺接する往復動式の電気かみそりの外刃１２において、湾曲部３４に囲まれて形成された空間部の両端側を覆って、切断髭が外部に排出されることを防止する遮蔽部３６が、金属薄板により湾曲部３４と一体に形成されている。【選択図】　　　　　図３
2004041325.tif 000002
【特許請求の範囲】
【請求項１】
多数の髭導入孔が穿孔された金属薄板が湾曲形状に形成された湾曲部の内面に内刃が摺接する往復動式の電気かみそりの外刃において、
前記湾曲部に囲まれて形成された空間部の両端側を覆って、切断髭が外部に排出されることを防止する遮蔽部が、前記金属薄板により湾曲部と一体に形成されていることを特徴とする電気かみそりの外刃。
【請求項２】
前記湾曲部との境界部を含む遮蔽部の少なくとも一部分の板厚が、前記湾曲部の板厚よりも厚く形成されていることを特徴とする請求項１記載の電気かみそりの外刃。
【請求項３】
湾曲部と遮蔽部との境界部に孔が設けられていることを特徴とする請求項１又は２記載の電気かみそりの外刃。
【請求項４】
請求項１、２又は３記載の電気かみそりの外刃と、
前記外刃を脱着可能に支持する支持枠体と、
前記外刃の内面に摺接して往復動する内刃と、
前記内刃を往復動させる駆動手段が内蔵され、上端に前記支持枠体が取り付けられている本体ケースとで構成される電気かみそり。
【請求項５】
前記外刃の湾曲面の頂部が、前記支持枠体の頂部より上方に位置するように支持されていることを特徴とする請求項４記載の電気かみそり。
【発明の詳細な説明】
【０００１】
【発明の属する技術分野】
本発明は、電気かみそりの外刃及び電気かみそりに関する。
【０００２】
【従来の技術】
往復動式の電気かみそりは、電気かみそりの本体ケースに内蔵された駆動機構により本体ケースの上方で往復動する内刃と、内刃を覆うように電気かみそりの支持枠体に取り付けられた外刃とが摺接することにより髭等を切断する装置である。この電気かみそりは、外刃を肌に直接当てて使用するものであるため、従来から外刃の肌当たりを良くする改良が種々なされている。
【０００３】
図８は、往復動式の電気かみそりの従来の外刃の構成を示す斜視図である。図示するように、従来の外刃１００は、略全面に髭導入孔（図示しない）が設けられた略矩形状の金属薄板から成る。そして、この金属薄板は、断面が略逆Ｕ字状となるように曲げられ、電気かみそりの本体ケースの上端に設けられた支持枠体に取り付けられる。従来の外刃１００を支持枠体に取り付けた状態を図９に示す。
【０００４】
図９に示すように、従来の往復動式の電気かみそり１０２においての外刃１００は、外刃１００の湾曲した端部により形成される開口部１００ａ（図８参照）を塞ぐように支持枠体１０４に装着されている。すなわち、側面形状において、支持枠体１０４が外刃の開口部１００ａよりも大きく形成されている。これにより、外刃１００の端部で肌を傷つけないようにガードすることができ、且つ外刃の開口部１００ａから切断髭がこぼれることがない。
【０００５】
【発明が解決しようとする課題】
しかしながら、上記電気かみそり１０２の外刃の頂部１００ｂを肌に当て、肌に沿って移動させて髭を剃る際に、外刃の肌当たりが悪いという場合があった。すなわち、外刃は、側面形状が外刃の開口部１００ａよりも大きく形成された支持枠体１０４に装着されていることから、外刃１００を肌に沿って移動させると、外刃の頂部１００ｂよりも上方に位置する支持枠体の頂部１０４ａが肌に当たってしまい、外刃１００を肌に沿って滑らかに移動させることが困難であった。
【０００６】
また、電気かみそりの外刃は、フォイル状の金属薄板を湾曲させて形成された端部の開口を支持枠体により覆って使用するものが主流であり、外刃の性能の向上と共に斬新なデザインに設計することが行われてこなかった。
【０００７】
そこで、本発明は、これらの課題を鑑みてなされたものであり、その目的とするところは、従来の外刃形状とは異なる形状に成形し、肌にそって滑らかに移動させることが可能な往復動式の電気かみそりの外刃及びそれを用いた往復動式の電気かみそりを提供することにある。
【０００８】
【課題を解決するための手段】
本発明は、上記目的を達成するため次の構成を備える。
多数の髭導入孔が穿孔された金属薄板が湾曲形状に形成された湾曲部の内面に内刃が摺接する往復動式の電気かみそりの外刃において、前記湾曲部に囲まれて形成された空間部の両端側を覆って、切断髭が外部に排出されることを防止する遮蔽部が、前記金属薄板により湾曲部と一体に形成されていることを特徴とする。なお、ここでいう遮蔽部は、湾曲部に囲まれて形成された空間部の両端側を完全に密封したものだけでなく、切断髭がこぼれない程度に孔が設けられたものであってもよい。
【０００９】
また、前記湾曲部との境界部を含む遮蔽部の少なくとも一部分の板厚が、前記湾曲部の板厚よりも厚く形成されていることを特徴とする。なお、本発明でいう境界部は、湾曲部と遮蔽部との境目の線状のみを示すのではなく、湾曲部と遮蔽部との境目で曲面形状に形成された所定幅のエリアのことを示しているものである。これにより、外刃が変形しにくい。
また、湾曲部と遮蔽部との境界部に孔が設けられていることを特徴とする。これにより、曲げ加工により外刃を形成する際、曲げを容易に行なうことができる。
また、前記往復動式の電気かみそりの外刃と、前記外刃を脱着可能に支持する支持枠体と、前記外刃の内面に摺接して往復動する内刃と、前記内刃を往復動させる駆動手段が内蔵され、上端に前記支持枠体が取り付けられている本体ケースとで構成されていることを特徴とする。
また、前記外刃の湾曲面の頂部が、前記支持枠体の頂部より上方に位置するように支持されていることを特徴とする。
【００１０】
【発明の実施の形態】
以下、本発明の好適な実施の形態について添付図面とともに詳細に説明する。
先ず、本実施形態の往復動式の電気かみそりの全体構成についてその概要を図１を用いて説明する。
往復動式の電気かみそり１０は、金属薄板に多数の髭導入孔が穿孔された外刃１２と、この外刃１２を湾曲状に支持する支持枠体１４と、外刃１２の内面に往復動して摺接する内刃１６と、電池１８や電動モータ２０等が内蔵され、表面にオン・オフスイッチ２２が取り付けられた本体ケース２４と、電動モータ２０の出力軸２６に連結し、電動モータ２０の回転運動を往復運動に変換して内刃１６に伝達する駆動機構２８とから構成されている。
【００１１】
上記駆動機構２８の構成について図２により説明する。本実施形態の駆動機構２８は、振動子５０と、振動子５０の上面に設けられ、内刃１６が連結される連結部材５２と、振動子５０の下面に設けられたシャフト５４と電動モータ２０の出力軸２６に取り付けられた偏心ピン５６とを連結するリンク材５８とで構成され、出力軸２６の回転運動をリンク材５８を介して振動子５０の往復直線運動に変換している。なお、本発明に係る往復動式の電気かみそりにおいては、駆動機構を上記構成に限定するものではなく、往復動させる機構を備えていればどのような構成であってもよい。
【００１２】
次に、本発明の特徴点である外刃１２の詳細な構成について図３及び図４を用いて説明する。
図３は本発明に係る外刃の一実施形態の構成を示す斜視図である。本実施形態の外刃１２は、多数の髭導入孔が穿孔された金属薄板を湾曲形状に形成した湾曲部３４と、湾曲部３４に囲まれて形成された空間部の両端側に設けられ、切断髭が外部に排出されることを防止する遮蔽部３６とで構成されている。
【００１３】
図３に示す外刃１２の湾曲部３４は、ニッケル、ステンレス等の略矩形状の金属薄板が断面逆Ｕ字状となるように形成されたものである。この外刃１２の湾曲部３４には、髭等が好適に導入される程度の大きさに形成された髭導入孔（図示しない）が略全面にわたって設けられている。そして、各髭導入孔どうしを仕切るリブには刃面が形成されている。
【００１４】
湾曲部３４に囲まれて形成された空間部の両端側には、この空間部の両端側を塞ぐ遮蔽部３６が設けられている。本実施形態においては、遮蔽部３６は略半円形状に形成されている。そして、この遮蔽部３６と上記湾曲部３４とは、平板状の金属薄板を押し出して成形する絞り加工により一体に形成されており、一体に形成された外刃１２の湾曲部３４と遮蔽部３６との境界部３７は、曲面状に設けられている。
【００１５】
本実施形態の外刃１２を往復動式の電気かみそりに取り付けた際の状態図を図４に示す。
図４（ａ）に示すように、外刃１２は、本体ケース２４の上端に取り付けられた支持枠対１４に、外刃１２の遮断部３６が支持枠体１４の内壁面に当接するように装着されている。この支持枠体１４に装着された外刃１２は、側面形状において、支持枠体１４の周端よりも外方に外刃１２の外面が位置するように支持されている。なお、この支持枠体１４への外刃１２の取り付けは、図４（ｂ）に示すように、外刃１２の湾曲部３４の下端部に設けられた樹脂等から成る係止部材４０を、支持枠体１４の内側に設けられた受け部材（図示しない）に係合させることによって行っている。
【００１６】
このように外刃１２を側面形状において支持枠体１４よりも外方に位置するように設けられるのは、外刃１２に遮蔽部３６を設けたことによるものであり、これによって切断髭がこぼれる心配がない。また、湾曲部３４と遮蔽部３６との境界部３７を曲面形状に形成していることから、境界部３７が剥き出しになっても肌を傷つける心配はない。そして、これにより外刃１２を肌に沿って移動させた際においても、支持枠体１４が肌に当たることがなくスムーズに動かすことができる。
なお、本発明に係る往復動式の電気かみそりにおいては、少なくとも外刃１２の頂部１３が支持枠体１４の頂部１４ａよりも上方に位置するように取り付けられていれば本発明の効果を奏するものである。
【００１７】
本発明の外刃は、図４（ａ）に示すような設置方法に限定されるものではなく、図５に示すように、外刃１２が支持枠体１４を覆うように取り付けることも可能である。この場合、外刃の遮蔽部３６が支持枠体１４の外壁面を覆う曲面形状に形成され、外刃１２を支持枠体１４に被せるように設置されている。そして、この外刃１２と支持枠体１４とは、支持枠体１４の外壁面に設けられた突起４２と、外刃１２の孔（図示しない）とを嵌め合わせて取り付けを行っている。しかし、取り付け方法はこれに限定されるものではなく、外刃１２が支持枠体１４に好適に取り付けられるのであればどのような方法であってもよい。
そして、本発明においては、このように外刃１２を支持枠体１４を覆うように取り付けることが可能であることから、従来とは異なるデザインの電気かみそりをつくることが可能となる。
【００１８】
なお、本発明の外刃１２は、湾曲部３４との境界部３７を含む遮蔽部３６の少なくとも一部分の板厚が、湾曲部３４の板厚よりも厚く形成されていることが望ましい。
例えば、境界部３７を含む遮蔽部３６の全体の板厚を厚くし、肌に当てた際にかかる力により外刃が変形するのを防ぐことができる。また、境界部３７のみの板厚を厚く設けることでもよい。このように、外刃１２の境界部３７を含む遮蔽部３６を補強することにより、外刃１２の変形を防ぐことができる。なお、補強する他の手段としては、遮蔽部３６の内側に補強部材を取り付けることも可能である。
【００１９】
本発明の外刃は、図３に示す形状に限定されるものではなく、図６に示すような形状に形成された外刃であってもよい。
例えば、図６（ａ）に示すように、湾曲部３４ａの長手方向の両端側に形成される開口部に、開口部の上半部を覆う形状の遮蔽部３６ａを湾曲部３４ａと一体に形成した外刃１２ａであってもよい。また、図６（ｂ）に示すように、遮蔽部３６ｂを、湾曲部３４ｂの湾曲した端辺に沿って略逆Ｕ字状に形成した外刃１２ｂであってもよい。
更には、図６（ｃ）に示すように、断面略逆Ｕ字状に設けられた湾曲部３４ｃの湾曲した端部を傾斜した状態に切り欠き、この切り欠いた端部で形成される空間に遮蔽部３６ｃを設けた外刃１２ｃを形成してもよい。また、図６（ｄ）に示すように、湾曲部３４ｄを長手方向に湾曲させ、両端部に遮蔽部３６ｄを設けた外刃１２ｄとしてもよい。これにより、従来使用されている往復動式電気かみそりの形状に限定されない斬新な形状の電気かみそりをつくることが可能となる。
【００２０】
また、図７に示す外刃１２ｅにおいては、湾曲部３４ｅと遮蔽部３６ｅとの境界部３７ｅに、湾曲部３４ｅと遮蔽部３６ｅとの連結方向を長手とする長孔３８が複数設けられている。この長孔３８は、髭が導入されない大きさに形成され、境界部３７ｅに沿って一列に並べられて設けられている。これにより、外刃１２ｅを曲げ加工によって形成する際、境界部３７ｅに沿って曲げやすくすることができる。また、外刃の見掛けを良くすることもできる。
なお、外刃の境界部に設ける孔は、上記の長孔に限定されるものではなく、例えば点孔であってもよい。また、孔の配置位置や数においても限定するものではなく、列に配置されていなくてもよいし、また孔の数が単数であってもよい。
【００２１】
本発明の外刃の製造方法においても、上述した絞り加工や曲げ加工に限定するものではない。例えば、母型の表面にニッケルめっき等の厚めっきを行い、この厚めっきを母型から剥離し成形する電鋳加工によって製造することも可能である。この電鋳加工において外刃を形成することによって、強固で、薄く精度のよい外刃を形成することができる。
さらに、本実施形態においては、遮蔽部３６を曲面形状に設けているが、本発明の遮蔽部においてはこれに限定されず、例えば、平面状等に設けることも可能である。また、湾曲部３４においても、断面略逆Ｕ字状に限定するものではなく、例えば、略コ字状であってもよい。また、外刃に設けられる髭導入孔の形状においては、好適に使用できるものであればどのようなものでもよい。
【００２２】
なお、本発明の外刃を取り付けた本発明の往復動式の電気かみそりは、上述した形状に限定されるものではなく、例えば、外刃が支持枠体に回動可能に軸止されて取り付けられた、いわゆる首振りの電気かみそりであってもよい。また、外刃の頂辺が略平行となるように並べた２連式の電気かみそりに本発明の外刃を用いていもよい。
【００２３】
【発明の効果】
本発明による電気かみそりの外刃によれば、上述したように、湾曲部に囲まれて形成される空間部の両端側に遮蔽部を設けることによって、側面形状において外刃の外面が支持枠体の周端よりも外方に位置するように取り付けることができることから、外刃を肌に沿わせて移動させた際に外刃の外面のみが肌に当たり、電気かみそりを滑らかに移動させることができる。
また、側面形状において外刃の外面が支持枠体よりも外方に位置して取り付けられても、遮蔽部により切断髭が外部に排出されることを防止でき、好適に電気かみそりを使用することができる等の著効を奏する。
【図面の簡単な説明】
【図１】本発明に係る往復動式の電気かみそりの一実施形態の構成を示す概略図である。
【図２】図１に示す往復動式の電気かみそりの部分構造を示す部分拡大断面図である。
【図３】本発明に係る往復動式の電気かみそりの外刃の一実施形態の構成を示す斜視図である。
【図４】図３に示す往復動式の電気かみそりの外刃を支持枠体に取り付けた状態を示す部分図及び取り付けの際の外刃の構成を示す斜視図である。
【図５】図３に示す往復動式の電気かみそりの外刃を支持枠体に取り付けた状態の別の実施形態を示す部分図である。
【図６】本発明にかかる往復動式の電気かみそりの外刃の他の実施形態の構成を示す斜視図である。
【図７】本発明にかかる往復動式の電気かみそりの外刃の他の実施形態の構成を示す斜視図である。
【図８】従来の往復動式の電気かみそりの外刃を示す斜視図である。
【図９】図８に示す往復動式の電気かみそりの外刃を支持枠体に取り付けた状態を示す部分図である。
【符号の説明】
１０　往復動式の電気かみそり
１２　外刃
１４　支持枠体
１６　内刃
２４　本体ケース
３４　湾曲部
３６　遮蔽部
３７　境界部
【図１】
2004041325.tif 000003
【図２】
2004041325.tif 000004
【図３】
2004041325.tif 000005
【図４】
2004041325.tif 000006
【図５】
2004041325.tif 000007
【図６】
2004041325.tif 000008
【図７】
2004041325.tif 000009
【図８】
2004041325.tif 000010
【図９】
2004041325.tif 000011